(57)【要約】【課題】共有のディスプレイ上に参加者それぞれが必要とする情報だけを提示するか、あるいは、それぞれが見易い形態で情報を提示することが可能であり、かつ情報を誰に対してどのような形態で提示するかを適切に制御し、対面協調作業の基本となる情報それ自体を参加者全員で共有しながら参加者それぞれにとってふさわしい位置や向き、内容で提示できるようにする。【解決手段】どの情報が誰にどのような形態で提示すべきかを指示するコントローラ部分１２と、これを実現するレイアウトマネージャ部分１３とを有し、それらの連携動作により提示形態の適切な制御を行い、これらの機能に対する指示は、提示されるべき情報のメタデータとして、情報リポジトリ１１内に格納する。また、この指示内容は、利用者により指定・変更を可能にする。【選択図】図２
2005165603.tif 000002
【特許請求の範囲】
【請求項１】
多人数用方向依存ディスプレイテーブルを画像表示装置とする情報提示方法であって、
予め提示する可能性のある情報の表示位置および向きについて、同一向きの‘共通’、いずれでもよい‘任意’、異なる向きの‘個人’に対応するフラグを割り当て、該フラグを含むメタデータを情報リポジトリに蓄積し、
該情報リポジトリに接続された提示情報コントローラは、該情報リポジトリに蓄積された情報から実際に提示する情報と該情報に関するメタデータを取り出し、提示レイアウトマネージャに引渡し、
該提示レイアウトマネージャは、各参加者用の画像表示装置に前記提示情報と該提示情報に関するメタデータとに応じて回転、大きさ、表示位置、向き等の物理レイアウトを決定し、前記各画像表示装置に送信することを特徴とする情報提示方法。
【請求項２】
多人数用方向依存ディスプレイテーブルを画像表示装置とする情報提示装置であって、
該情報提示装置の制御系として、提示する可能性のある情報と、個々の情報に関するメタデータを格納する情報リポジトリと、
その時点で提示すべき情報を前記情報リポジトリから取り出し、各利用者に対して提示する際の内容および提示形態を該メタデータを用いて制御し、かつ決定する提示情報コントローラと、
前記提示情報コントローラから受け取った、利用者のそれぞれに提示すべき情報の内容および形態を解釈し、実際に画面に表示できるように配置および構成を行い、配置かつ構成された画面情報を前記画面表示装置に出力する提示レイアウトマネージャと
を有することを特徴とする情報提示装置。
【請求項３】
請求項２記載の情報提示装置において、
前記画面表示装置は、複数の利用者に対応した画面を物理的に共有ディスプレイに提示する複数の画像提示装置と、該複数の画像提示装置の出力を重ねて表示する一つの共有ディスプレイと、該共有ディスプレイ上またはこれに隣接して、利用者からの入力指示を受ける入力装置とから構成されることを特徴とする情報提示装置。
【請求項４】
請求項３に記載の情報提示装置において、
前記画像提示装置は、同一の位置に提示すべき情報を実際に物理的に同一の位置に表示するため、変換行列を用いて画面全体のキャリブレーションを行うことを特徴とする情報提示装置。
【請求項５】
請求項３に記載の情報提示装置において、
前記共有ディスプレイは、利用者に対応した画像提示装置からの画像を物理的に表示する一つのディスプレイ装置であり、各利用者に対応する画像提示装置からの画像のみが見られる機構を具備することを特徴とする情報提示装置。
【請求項６】
請求項１に記載の情報提示方法において、
前記画像表示装置に提示されるべき情報の種別は、共有ディスプレイ上の入力装置を介して指定することで変更することができ、指定された変更情報は該入力装置から提示情報コントローラに転送され、該提示情報コントローラにより種別の変更が行われることを特徴とする情報提示方法。
【請求項７】
請求項１または６に記載の情報提示方法において、
前記提示情報コントローラは、入力装置から入力された情報およびメタデータを受け取り、該情報およびメタデータを情報リポジトリに格納することを特徴とする情報提示方法。
【請求項８】
請求項６に記載の情報提示方法において、
前記提示するまたは提示しない情報の種別の指定方法として、共有ディスプレイ上に情報の種別を表示する領域を提示しておき、該領域を選択することにより指定するか、あるいは、特定の情報の種別を表す物理オブジェクトを用意して、該オブジェクトを共有ディスプレイ上に配置し、種別の情報の表示、非表示を切り替えことを特徴とした情報提示方法。
【請求項９】
請求項６または８に記載の情報提示方法において、
前記種別の変更または種別の指定方法の認識は、共有ディスプレイ上部に置かれた物体あるいは上方に翳された手の形態を、該共有ディスプレイ下部に配置された可視光カメラで撮影することにより認識することを特徴とする情報提示方法。
【請求項１０】
請求項２に記載の情報提示装置において、
前記情報およびメタデータを保存する場合、情報は情報リポジトリに、メタデータは情報メタデータリポジトリにそれぞれ保存することを特徴とする情報提示装置。
【請求項１１】
請求項１０に記載の情報提示装置において、
前記メタデータを情報メタデータリポジトリに保存することにより、複数の情報に対して、同一のメタデータをデフォルトとする提示形態を指定することを特徴とする情報提示装置。
【請求項１２】
請求項２に記載の情報提示装置において、
前記提示情報コントローラが提示形態を制御・決定する際の基準となるルールは、該提示コントロラ自体に格納するか、あるいは、提示形態判断ルールデータベースに格納することを特徴とする情報提示装置。
【請求項１３】
請求項１に記載の情報提示方法において、
前記情報リポジトリに格納される情報には、概要、詳細１、詳細２のような複数の内容が用意され、提示情報コントローラは、各利用者に対して最適な内容を選択し、選択された内容を提示レイアウトマネージャに送出することを特徴とする情報提示方法。
【請求項１４】
請求項１に記載の情報提示方法において、
前記利用者に提示される情報内容は、共有ディスプレイ上に入力領域を設けて、該入力領域からの入力により情報内容を選択するか、該共有ディスプレイに隣接して各利用者ごとに用意されたキーボードあるいはマウス等の装置を用いて入力することにより情報内容を選択するか、該共有ディスプレイ上に設定された個人領域から入力することにより情報内容を選択するか、のうちいずれかにより、提示情報マネージャーが該入力指定および内部的または外部的な提示形態判断データに基づいて情報内容を選択することを特徴とする情報提示方法。
【請求項１５】
請求項１，１３または１４に記載の情報提示方法において、
前記提示情報コントローラは、複数の内容を用意することで、同一の情報を異なる内容で提示する方法と、入力により情報内容を選択する方法とを組み合わせて、各利用者に対してマトリクスの形で表現し、各利用者に対して最適な内容を選択して提示レイアウトマネージャに送出することを特徴とする情報提示方法。
【請求項１６】
請求項１に記載の情報提示方法において、
前記情報リポジトリ、前記提示情報コントローラおよび前記提示レイアウトマネージャは、利用者１用、利用者２用、・・利用者ｎ用の複数のプロセスに分けてサブセットとして設けられ、それぞれ各プロセスが対応する利用者に関する入出力に対して責任を持つとともに、相互に通信し合って全体の整合性を取り、同時に、情報メタデータリポジトリおよび提示形態判断ルールデータベースの整合性も取ることを特徴とする情報提示方法。
【請求項１７】
請求項１に記載の情報提示方法において、
前記情報リポジトリにネットワークを接続しておき、該ネットワークを介して外部からデータを取り込み、該データを情報提示することを特徴とする情報提示方法。
【請求項１８】
請求項１、請求項６〜９、請求項１３〜１７のいずれかに記載の情報提示方法の各手順を、情報提示装置のコンピュータに実行させるための情報提示用プログラム。
【請求項１９】
請求項１８に記載の情報提示用プログラムを記録したことを特徴とするコンピュータ読み出し可能な記録媒体。
【発明の詳細な説明】
【技術分野】
【０００１】
本発明は、対面協調作業を支援するための情報提示方法と装置に関し、詳細には多人数用方向依存ディスプレイテーブル（Ｌｕｍｉｓｉｇｈｔ  Ｔａｂｌｅ）の使用方法およびその装置およびそのプログラム、ならびにそのプログラムを記録した記録媒体に関する。
【背景技術】
【０００２】
従来より、対面協調作業を支援するために、共有のディスプレイに情報を提示し、その上での情報の入出力を用いて議論などを行うシステムが存在する。しかし、その共有ディスプレイ上では、参加者全てに同一の情報が同一の形態で提示されることが前提であった（垂水著『グループウェアとその応用』共立出版，２０００（非特許文献１参照）。
一方、最近提案された技術として、Ｌｕｍｉｓｉｇｈｔ  Ｔａｂｌｅ（第２回  情報科学技術フォーラムＦＩＴ２００３、ＬＫ−０１２、インタラクティブな多人数用方向依存ディスプレイテーブルＬｕｍｉｓｉｇｈｔ  Ｔａｂｌｅの提案）（非特許文献２参照）が提案されている。
【０００３】
この多人数用方向依存ディスプレイテーブル（Ｌｕｍｉｓｉｇｈｔ  Ｔａｂｌｅ）は、テーブルの各位置に着席した人それぞれに対し、テーブル上の同一のディスプレイに異なる画像を提示することが可能な装置である。特に、同一の画像を回転させて、テーブルの各位置に着席した人それぞれに正対する向きに提示することが可能である。テーブルに着席した複数人（参加者と呼ぶ）が、文字や写真などの天地のある情報を閲覧する際に、各人に対して正しい向きに文字や写真を提示できるために、この装置は、各人に対する平等な視認性を実現し、情報アクセスの対称性を保証する。
しかしながら、上記装置の単純な使用方法である各人に対して全ての情報を個人化する方法では、参加者の指差しや参加者の間で共有される物理的オブジェクト等に代表される実世界上の物体とその運動と、提示されている電子情報との融合ができないため、テーブル上でのインターラクションが困難であるという問題があった。一例を挙げると、ある参加者Ａが自ら提示されている画像のある部分を指差した場合、他の参加者への提示画像は位置や向きが異なるため、ある参加者Ａが指差した画像部分と他の参加者が見る指差された画像部分とは異なるという問題である。
【０００４】
すなわち、従来技術では、共有ディスプレイの全体が共有・情報の提示形態も全て同一であるか（Ｅｄｅｎ，Ｈ：Ｇｅｔｔｉｎｇ  ｏｎ  ｔｈｅ（Ｉｎｔｅｒ）Ａｃｔｉｏｎ：Ｅｘｐｌｏｒｉｎｇ  Ａｆｆｏｒｄａｎｃｅｓ  ｆｏｒ  Ｃｏｌｌａｂｏｒａｔｉｖｅ  Ｌｅａｒｎｉｎｇ  ｉｎ  ａ  Ｃｏｎｔｅｘｔ  ｏｆ  Ｉｎｆｏｒｍｅｄ  Ｐａｒｔｉｃｉｐａｔｉｏｎ，Ｐｒｏｃ．ＣＳＣ’０２，pp.399-409,2002（非特許文献３参照）、三沢他：ＭｅｄｉａＴａｂｌｅ：方向性を持たない円形の情報システム、インタラクティブシステムとソフトウェアＩＸ，近代科学社，pp.173〜178,2001(非特許文献４参照）、Ｐａｔｔｅｎ，Ｊ．ｅｔ  ａｌ：Ｓｅｎｓｅｔａｂｌｅ：Ａ  Ｗｉｒｅｌｅｓｓ  Ｏｂｊｅｃｔ  Ｔｒａｃｋｉｎｇ  Ｐｌａｔｆｏｒｍ  ｆｏｒ  Ｔａｎｇｉｂｌｅ  Ｕｓｅｒ  Ｉｎｔｅｒｆａｃｅｓ，ｐｒｏｃ．ＣＨＩ’０１，pp.253〜260,2001（非特許文献５参照）、
Ｓｈｅｎ，Ｃ．ｅｔ  ａｌ：Ｓｈａｒｉｎｇ  ａｎｄ  Ｂｕｉｌｄｉｎｇ  Ｄｉｇｉｔａｌ  Ｇｒｏｕｐ  Ｈｉｓｔｏｒｉｅｓ，Ｐｒｏｃ．ＣＳＣＷ２００２，pp.324〜333,2002(非特許文献６参照）、Ｓｔｒｅｉｔｚ，Ｎ．Ａ．ｅｔ  ａｌ：ｉ−ＬＡＮＤ：Ａｎ  Ｉｎｔｅｒａｃｔｉｖｅ  Ｌａｎｄｓｃａｐｅ  ｆｏｒ  Ｃｒｅａｔｉｖｉｔｉｙ  ａｎｄ  Ｉｎｎｏｖａｔｉｏｎ，Ｐｒｏｃ．ＣＨＩ’９９,pp.120〜127,1999(非特許文献６参照））、あるいは、共有ディスプレイと個人ごとの個人ディスプレイを完全に分離するか（Ｓｔｅｆｌｋ，Ｍ．ｅｔ  ａｌ：Ｂｅｙｏｎｄ  ｔｈｅ  Ｃｈａｌｋｂｏａｄ：Ｃｐｍｐｕｔｅｒ  Ｓｕｐｐｏｒｔ  ｆｏｒ  Ｃｏｌｌａｂｏｒａｔｉｏｎ  ａｎｄＰｒｏｂｌｅｍ  Ｓｏｌｖｉｎｇ  ｉｎ  Ｍｅｅｔｉｎｇｓ，Ｃｏｍｍ．ＡＣＭ，３０（１），pp.32〜47,1987（非特許文献７参照）、Ｓｔｒｅｉｔｚ，Ｎ．Ａ．ｅｔ  ａｌ：ＤＯＬＰＨＩＮ：Ｉｎｔｅｇｒａｔｅｄ  Ｍｅｅｔｉｎｇ  Ｓｕｐｐｏｒｔ  ａｃｒｏｓｓ  Ｌｏｃａｌ  ａｎｄ  Ｒｅｍｏｔｅ  Ｄｅｓｋｔｏｐ  Ｅｎｖｉｒｏｎｍｅｎｔｓ  ａｎｄ  ＬｉｖｅＢｏａｒｄｓ，Ｐｒｏｃ．ＣＳＣＷ’９４，pp.345〜358,1994（非特許文献８参照））のいずれかであった。
【０００５】
従来技術における問題点は、主に下記の２つである。
（ａ）一般に共有ディスプレイを参加者が囲んで議論等の協調作業を行うのであるが、このとき、参加者の位置に依存して、提示される情報へのアクセスの容易さが異なってしまう。具体的には、例えば、文字情報を提示する場合、正対する位置の参加者からの判読は容易であるが、逆位置の参加者からの判読は困難となる。このため、参加者全体として見たとき、共有ディスプレイを用いた協調作業の効率は必ずしも良くない。
（ｂ）共有ディスプレイに提示される情報は参加者全員に対して同一のもののみが提供されているため、参加者それぞれに対する個人化の余地がない。完全に分離された個人ディスプレイを提供する手法では、個人ディスプレイと共有ディスプレイとの連携、すなわち、提示される情報の行き来などが困難である。具体的には、例えば、他の参加者が共有ディスプレイに提示した情報を使用し、公開すべきでない個人情報を重畳させてシミュレーションを行い、結果のみを公開して共有し、議論を進める、というシチュエーションが考えられ。このとき共有ディスプレイと個人ディスプレイが完全に分離していると、その間の行き来は煩雑となり、また個人ディスプレイ内で作業しているということ自体も他の参加者には伝わらず、協調作業の効率を下げることになる。
【０００６】
【非特許文献１】垂水著『グループウェアとその応用』共立出版，２０００
【非特許文献２】第２回  情報科学技術フォーラムＦＩＴ２００３、ＬＫ−０１２、インタラクティブな多人数用方向依存ディスプレイテーブルＬｕｍｉｓｉｇｈｔ  Ｔａｂｌｅの提案
【非特許文献３】Ｅｄｅｎ，Ｈ：Ｇｅｔｔｉｎｇ  ｏｎ  ｔｈｅ（Ｉｎｔｅｒ）Ａｃｔｉｏｎ  Ｅｘｐｌｏｒｉｎｇ  Ａｆｆｏｒｄａｎｃｅｓ  ｆｏｒ  Ｃｏｌｌａｂｏｒａｔｉｖｅ  Ｌｅａｒｎｉｎｇ  ｉｎ  ａ  Ｃｏｎｔｅｘｔ  ｏｆ  Ｉｎｆｏｒｍｅｄ  Ｐａｒｔｉｃｉｐａｔｉｏｎ，Ｐｒｏｃ．ＣＳＣ’０２，pp.399-409,2002
【非特許文献４】三沢他：ＭｅｄｉａＴａｂｌｅ：方向性を持たない円形の情報システム、インタラクティブシステムとソフトウェアＩＸ，近代科学社，pp.173〜178,2001
【非特許文献５】Ｐａｔｔｅｎ，Ｊ．ｅｔ  ａｌ：Ｓｅｎｓｅｔａｂｌｅ：Ａ  Ｗｉｒｅｌｅｓｓ  Ｏｂｊｅｃｔ  Ｔｒａｃｋｉｎｇ  Ｐｌａｔｆｏｒｍ  ｆｏｒ  Ｔａｎｇｉｂｌｅ  Ｕｓｅｒ  Ｉｎｔｅｒｆａｃｅｓ，ｐｒｏｃ．ＣＨＩ’０１，pp.253〜260,2001
【非特許文献６】Ｓｈｅｎ，Ｃ．ｅｔ  ａｌ：Ｓｈａｒｉｎｇ  ａｎｄ  Ｂｕｉｌｄｉｎｇ  Ｄｉｇｉｔａｌ  Ｇｒｏｕｐ  Ｈｉｓｔｏｒｉｅｓ，Ｐｒｏｃ．ＣＳＣＷ２００２，pp.324〜333,2002
【非特許文献７】Ｓｔｅｆｌｋ，Ｍ．ｅｔ  ａｌ：Ｂｅｙｏｎｄ  ｔｈｅ  Ｃｈａｌｋｂｏａｄ：Ｃｐｍｐｕｔｅｒ  Ｓｕｐｐｏｒｔ  ｆｏｒ  Ｃｏｌｌａｂｏｒａｔｉｏｎ  ａｎｄＰｒｏｂｌｅｍ  Ｓｏｌｖｉｎｇ  ｉｎ  Ｍｅｅｔｉｎｇｓ，Ｃｏｍｍ．ＡＣＭ，３０（１），pp.32〜47,1987
【非特許文献８】Ｓｔｒｅｉｔｚ，Ｎ．Ａ．ｅｔ  ａｌ：ＤＯＬＰＨＩＮ：Ｉｎｔｅｇｒａｔｅｄ  Ｍｅｅｔｉｎｇ  Ｓｕｐｐｏｒｔ  ａｃｒｏｓｓ  Ｌｏｃａｌ  ａｎｄ  Ｒｅｍｏｔｅ  Ｄｅｓｋｔｏｐ  Ｅｎｖｉｒｏｎｍｅｎｔｓ  ａｎｄ  ＬｉｖｅＢｏａｒｄｓ，Ｐｒｏｃ．ＣＳＣＷ’９４，pp.345〜358,1994
【非特許文献９】川村：製品紹介  視界制御フィルム『ルミシティー』新素材，４（１１），pp.71〜75,1993
【発明の開示】
【発明が解決しようとする課題】
【０００７】
共有ディスプレイを用いて協調作業を行うためのシステムにおいて、共有ディスプレイ内に提示する情報、およびその提示形態を適切に制御することができれば、従来の問題点は解決される。
（１）情報そのものは同一であるが、その提示形態を参加者それぞれに対して適切に変更することができれば、参加者間での提示される情報へのアクセスの容易さの差違を吸収し、全ての参加者が等しく容易に提示される情報にアクセスできるようになる。
（２）情報を、参加者それぞれに対して異なる内容・形態で提示することができれば、参加者それぞれに必要な詳細度で情報を提供すること、あるいは、参加者の一部にだけ情報を開示すること、つまり個人化が実現できる。
（３）上記（１）と（２）の機能が一つの共有ディスプレイ上で行われることができれば、参加者全てが共通の目的で協調作業を行うという状況が実現する。ばらばらのディスプレイ装置を用いた場合には、参加者間の共通認識を強固にする場がないため、協調作業の効率は良くない。従って、殆んどの場合において、共有ディスプレイ上には、内容・形態とも参加者全てに対して同一である情報が、協調作業のベースとして提示されなければならない。
（４）提示されるべき情報の内容および形態を、参加者それぞれの入力に応じて適切に変更することができれば、協調作業の進展に対応して提示を変更することが可能になる。
【０００８】
（目的）
本発明の目的は、上記課題を解決し、共有のディスプレイ上に参加者それぞれが必要とする情報だけを提示するか、あるいは、それぞれが見易い形態で情報を提示することが可能であり、かつ情報を誰に対してどのような形態で提示するかを適切に制御し、対面協調作業の基本となる情報それ自体を参加者全員で共有しながら参加者それぞれにとってふさわしい位置や向き、内容で提示し、なおかつ情報によっては参加者の一部にのみ提示し、その情報の提示の形式や範囲を柔軟に変更することが可能な情報提示方法および情報提示装置および情報提示プログラム、ならびにそのプログラムを記録した記録媒体を提供することにある。
【課題を解決するための手段】
【０００９】
本発明の情報提示方法は、どの情報が誰にどのような形態で提示すべきかを指示するコントローラ部分と、これを実現するレイアウトマネージャ部分とを有し、それらの連携動作により提示形態の適切な制御を行い、これらの機能に対する指示は、提示されるべき情報のメタデータとして、リポジトリ内に格納する。また、この指示内容は、利用者により指定・変更が可能にする。
すなわち、本発明では、（１）予め提示する可能性のある情報（共通、任意、個人）のフラグを割り当て、情報リポジトリに蓄積し、提示情報コントローラは蓄積された情報から実際に提示する情報とそのメタデータを取り出し、提示レイアウトマネージャは各参加者用の画像表示装置に前記提示情報とそのメタデータとに応じて回転、大きさ、表示位置等の物理レイアウトを決定し、各画像表示装置に送信し、画像表示装置では多人数用方向依存ディスプレイテーブル（Ｌｕｍｉｓｉｇｈｔ  Ｔａｂｌｅ）により実現する。
【００１０】
（２）情報を、参加者それぞれに対して異なる内容・形態で提示する。これにより、参加者それぞれに必要な詳細度で情報を提示する、あるいは参加者の一部にだけ情報を開示する、というように個人化が実現できる。具体的には、例えば、ある『風力発電機』の情報が共通して提示されているとき、ある参加者に対しては『発電量』，別の参加者に対しては『設置コスト』をより詳細に提示するように個人化することで、同一の『風力発電機』をそれぞれ異なる観点から分析して議論することができる。または、共通に提示されている情報を用いて、公開すべきでない情報を本人だけに提示させ、それを加えてシミュレーションした結果のみ共通に提示する、というような情報の公開制御も可能である。
【発明の効果】
【００１１】
本発明によれば、以下の効果がある。
（ａ）共有のディスプレイ上に参加者それぞれが必要とする情報だけを提示する、あるいは、それぞれが見易い形態で情報を提示する、というような制御が可能になる。
（ｂ）情報を誰に対して、どのような形態で提示するかを適切に制御し、対面協調作業の基本となる情報それ自体は参加者全員で共有しながら参加者それぞれにとって最適な位置や向き、内容で提示することができ、また情報によっては参加者の一部のみに提示することができ、さらには、その情報の提示の形式や範囲を柔軟に変更することができ、また、対面協調作業において必要となる情報を、参加者間で適切かつ柔軟に共有・非共有とすることができる。
（ｃ）共有ディスプレイ上で参加者全てに同一の情報が同一の形態で提示される従来手法や、あるいは個人ディスプレイを併用し、完全共有の提示空間と完全個人の提示空間とを分離して提供する従来の手法と比較して、適切かつ柔軟な情報の提示・操作が可能となり、共有および非共有情報を用いた対面協調作業がより円滑に進むことが期待できる。
【発明を実施するための最良の形態】
【００１２】
図１は、本発明で用いられる多人数用方向依存ディスプレイテーブルの概念模式図である。
画面の共有と天地問題の解消に向けて、多人数用方向依存ディスプレイテーブル（Ｌｕｍｉｓｉｇｈｔ  Ｔａｂｌｅ１）では、本出願人等が開発したＬｕｍｉｓｉｇｈｔの映像提示手法を応用する。Ｌｕｍｉｓｉｇｈｔは、映像提示スクリーンとしてＬｕｍｉｓｔｙフィルム（川村：製品紹介  視界制御フィルム『ルミシティー』新素材，４（１１），pp.71〜75,1993（非特許文献９参照））を用いる。Ｌｕｍｉｓｔｙとは、特定の角度範囲から入射した光だけを拡散させ、それ以外の角度に対しては高い透過性を有する素材であり、光を拡散させる方向からプロジェクタ３で映像を投影することで、プロジェクタ３に正対する方向からのみ映像を見ることができる、という特性のスクリーンとして使用できる。これにより、同一平面を共有しながら、見る方向によって異なる映像を提示し得る指向性ディスプレイの実現および映像の多重化が可能になる。
【００１３】
多人数用方向依存ディスプレイテーブル（Ｌｕｍｉｓｉｇｈｔ  Ｔａｂｌｅ１）では、Ｌｕｍｉｓｔｙフィルムの素材２を複数枚重ねて透明なテーブル１上に配置することで、多人数観察に対応した映像の多重を実現した。本システムでは、メガネなどの特殊な機器を装着させることなく、ユーザの位置に応じて異なる２次元画像を提示できる。ここでは、正方形のテーブルを囲む４名のユーザを対象としたシステムを示してある。テーブル１の透明な天板にＬｕｍｉｓｔｙの特性を持つ２枚のＬｕｍｉｓｔｙを視界制御方向が直交するように重ねて貼る。テーブル１の下部に、４台のプロジェクタ３を投影面から２５〜５５度の角度をつけて設置し、スクリーンに向けて映像を投影する。テーブル１の下部中央にカメラ４を鉛直上向きに設置し、卓上の様子を撮影する。
【００１４】
図２は、本発明の一実施例を示すシステムの制御構造の基本構成図である。
破線Ａで示す部分が本発明の装置部分であり、破線Ｂで示す部分が従来技術の多人数用方向依存ディスプレイテーブル（Ｌｕｍｉｓｉｇｈｔ  Ｔａｂｌｅ）である。
図２に示すように、本発明の制御構造部分Ａは、情報リポジトリ１１、提示情報コントローラ１２、および提示レイアウトマネージャ１３から構成される。従来の多人数用方向依存ディスプレイテーブル（Ｌｕｍｉｓｉｇｈｔ  Ｔａｂｌｅ）の部分Ｂは、画像提示装置（１〜ｎ）１４、および共有ディスプレイ／入力装置１５Ｃ，１５Ｄから構成される。
情報リポジトリ１１は、提示する可能性のある情報と、個々の情報に関するメタデータが格納されている。
提示情報コントローラ１２は、その時点で提示すべき情報を情報リポジトリ１１から取り出し、それぞれの情報を各利用者に対して提示する際の内容および提示形態をメタデータを用いて制御・決定して、結果を提示レイアウトマネージャ１３に渡す。提示するべき情報は、予め与えられている場合もあるが、入力装置を介した利用者からの入力によりその種別等が指定され、変更される場合もある。また、入力装置から入力された情報およびメタデータを受け取り、情報リポジトリ１１に格納する役割も果す。
【００１５】
提示レイアウトマネージャ１３は、提示情報コントローラ１２から受け取った、利用者それぞれに提示すべき情報の内容および形態を解釈し、実際に画面に表示できるように配置・構成を行う。各利用者用に配置・構成された画面情報を、それぞれの画像提示装置１４に渡す。
画像提示装置（１〜ｎ）１４は、提示レイアウトマネージャ１３から渡された、利用者１〜ｎに対応した画面を物理的に共有ディスプレイ１５Ｃに提示する。
共有ディスプレイ１５Ｃは、画像提示装置１４の出力を重ねて表示する一つのディスプレイであり、表示は物理的には重なっているが、各利用者に対して提示されるのは対応する画像提示装置１４からの出力のみである。
入力装置１５Ｄは、共有ディスプレイ１５Ｃ上またはそれに隣接して、利用者からの入力指示を行うための装置である。
これらの構成要素のうち、画像提示装置１４および共有ディスプレイ装置１５Ｃは従来公知のものを使用する。
【００１６】
（第１の実施例）
図３は、本発明の第１の実施例を示す情報提示方法の制御図である。
図３において、追加されている要素は、情報リポジトリ１１に格納されている情報およびメタデータ１７、提示情報コントローラ１２が情報リポジトリ１１から受け取ったメタデータの指定に基づいて、利用者に対する各情報の提示形態を決定した後のデータ１８、提示レイアウトマネージャ１３から出力された各画像提示装置１４に配分される画像１９である。ここで、データ１８は、提示情報コントローラ１２のメモリに格納されている提示形態等を制御・決定する際の基準となるルールを用いて、提示情報コントローラ１２が情報およびメタデータ１７から生成し、出力する。
【００１７】
情報リポジトリ１１には、各々の情報の内容の他に、その種別、デフォルト位置・向き、位置選択肢、向き選択肢のようなメタデータ１７が格納されている。向き選択肢は、その情報が提示される際に、全ての利用者に対して同一の向きに提示されなければならないか（共通）、逆に個々の利用者に対して異なる向きで提示されなければならないか（個別）、あるいは、そのいずれであっても構わないか（任意）、を指定するものである。この指定には、対応するフラグをオンまたはオフすることで指示する。位置選択肢についても、向き選択肢と同様である。
提示情報コントローラ１２は、その時点で、利用者に提示すべき情報を選択し、情報リポジトリ１１からそれらの情報およびメタデータを取り出す。メタデータの指定に基づき、それぞれの利用者に対する各情報の提示形態を決定する。例えば、情報Ａに位置共通・向き個別というメタデータが指定されているとき、利用者１に対しては、その位置はデフォルト位置・向きは利用者１に正対する方向と決定される。また、利用者ｎに対しては、その位置は利用者１に対するものと同一のデフォルト位置・向きは利用者ｎに正対する方向と決定される。このような決定を、全ての提示すべき情報かつそれぞれに利用者ごとに行い、その結果を提示レイアウトマネージャ１３に渡す。
【００１８】
提示レイアウトマネージャ１３は、提示情報コントローラ１２から渡された情報およびその提示形態から、それぞれの利用者ごとに実際に提示すべき画面全体を構成し、それぞれの利用者１〜ｎに対応する画面をそれぞれの画像提示装置（１〜ｎ）１４に送る。
画像提示装置（１〜ｎ）１４は、受け取った画像を物理的に共有ディスプレイ１５Ｃに表示する。このとき、同一の位置に提示すべき情報を実際に物理的に同一の位置に表示するため、変換行列を用いて画面全体のキャリブレーションを行う。
共有ディスプレイ１５Ｃは、画像提示装置（１〜ｎ）１４からの画像を物理的に表示する一つのディスプレイ装置であって、各利用者１〜ｎには対応する画像提示装置（１〜ｎ）１４からの画像のみが見えるような機構を持つ。
【００１９】
本実施例の情報提示方法では、予め提示する可能性のある情報（共通、任意、個人）のフラグを割り当て、情報リポジトリに蓄積し、提示情報コントローラは蓄積された情報から実際に提示する情報とそのメタデータを取り出し、提示レイアウトマネージャは各参加者用の画像表示装置に前記提示情報とそのメタデータとに応じて回転、大きさ、表示位置等の物理レイアウトを決定し、各画像表示装置に送信し、画像表示装置では多人数用方向依存ディスプレイテーブル（Ｌｕｍｉｓｉｇｈｔ  Ｔａｂｌｅ）により実現する。
【００２０】
図４は、本発明の制御プロセスにより実現される、利用者に対して提示される画面の例を示す写真である。
一人の利用者、およびその利用者の逆側に位置する利用者に対して提示される画面が示されている。対角線で四分割された画面全体は、背景情報として位置共通・向き共通のメタデータが付けられており、そのように提示されていることがわかる。中央に位置する四角の領域の情報には、位置共通・向き個別のメタデータが付けられており、同一の位置に異なる向き（それぞれの利用者に正対する向き）で提示されている。四分割された領域内にそれぞれ提示されているＡ〜Ｄの文字情報に関しても同様である。
この例は、向き個別の制御の例であるが、位置個別の制御の例も同様にして実現される。
【００２１】
（第２の実施例）
図５は、本発明の第２の実施例に係る選択領域による共有ディスプレイ上での情報種別選択の写真である。
前述の例（第１の実施例）において、利用者からの入力指示により提示されるべき情報の種別を変更することができる。これは、表示すべき情報の種別を共有ディスプレイ１５Ｃ上の入力装置１５Ｄを介して指定することにより行われ、指定は提示情報コントローラ１２に送られる。提示情報コントローラ１２は、指定に従ってその時点で提示すべき情報を決定し、第１の実施例と同様のプロセスにて最終的な画面出力が得られる。入力指示は、提示されるべき情報の種別のみならず、逆に提示を止める情報の種別を指定することも可能である。なお、入力装置１５Ｄから提示情報コントローラを制御するためのフィードバックループは、図５の実線で示されている。
【００２２】
提示する、または提示しない情報の種別の指定方法は、複数考えられる。一例としては、予め共有ディスプレイ１５Ｃ上に情報の種別を表示する領域を提示しておき、利用者がその領域を選択することにより指定する方法である。
図５は、この方法を実現する例を示したものである。共有ディスプレイ１５Ｃ上の隅に特定の情報の種別を示す領域が提示されており、これを選択することにより、その種別の表示・非表示を切り替える。
図５では、手の下に表示されている四角の領域が特定の情報種別を表す選択領域であり、現在選択を行っているところである。下部にも異なる情報種別を表す選択領域が表示されている。なお、これら選択領域に対応する情報の種別は、ソフトウェア的に自動または利用者指示により変更することができる。
【００２３】
図６は、情報種別指定の他の方法を示す写真である。
上記の方法とは別に、図６に示すように、特定の情報の種別を表す物理オブジェクトを用意し、それを共有ディスプレイ１５Ｃ上に配置する、あるいは取り去ることにより、その種別の情報の表示・非表示を切り替える方法もある。図６においては、ある風車発電機を表す物理オブジェクトを共有ディスプレイ１５Ｃ上に置きことにより、その風車発電機に関する画像・発電効率という種別の情報が表示されている。この情報は、当該物理オブジェクトを共有ディスプレイ１５Ｃ上から取り去ることにより、その表示がオフになる。
なお、ここで表示されている情報に対するメタデータは、位置個別・向き個別の指定がなされている。提示情報コントローラ１２は、それぞれの利用者に対して物理オブジェクトに隣接かつ物理オブジェクトにより隠されず、また他の情報を隠さない位置、また各利用者に正対する向き、との指定を行う。提示レイアウトマネージャ１３は、それに基づいて各利用者に対する実際の提示位置（ここでは、利用者から見て物理オブジェクトの右下）と向きを決定する。
【００２４】
これらの選択指示において、選択を認識する手法もまた複数考えられる。その一つは、上記のように、共有ディスプレイ１５Ｃの背面に配置した可視光カメラにより領域の選択あるいはオブジェクトの配置を認識する手法である。共有ディスプレイ１５Ｃは、その鉛直方向から見た場合透明であるため、共有ディスプレイ１５Ｃ上部に置かれた物体、あるいはその上方に翳（かざす）された手の形状というようなものを、共有ディスプレイ１５Ｃの下部に配置した可視光カメラにより認識することが可能である。具体的には、可視光カメラで撮影された画像の背景差分を取る処理により、オブジェクトとその配置の認識や手などによる領域の選択の認識を行うことができる。
【００２５】
この手法は簡便であるが、共有ディスプレイ１５Ｃ上に提示される情報の色の影響を受ける。すなわち、共有ディスプレイ１５Ｃ上に提示される情報の色が、オブジェクト下面などに反射し、可視光画像による認識が困難となる場合がある。また、共有ディスプレイ１５Ｃ下部からの画像提示装置１４の出力表示光が共有ディスプレイ１５Ｃ下部で反射し、可視光画像の認識を妨げる場合がある。この解決策として、赤外光カメラを用いて、オブジェクトとその配置の認識や手などによる領域の選択の認識を行う手法がある。
画像認識処理などは可視光の場合と同様であるが、赤外領域の光を用いるため、可視光で提示される情報の影響が大幅に軽減されることが利点である。
勿論、処理分散などの目的で、可視光カメラおよび赤外光カメラを同時に用いる手法も可能である。その他にも、共有ディスプレイ１５Ｃ上に重ねて置いた透明タッチセンサを使用する手法や、オブジェクトの認識をＲＦＩＤ等を用いて行う手法などが考えられる。
【００２６】
（第３の実施例）
図７は、本発明の第３の実施例を示す情報提示方法の制御図である。
図７において、新たに追加されたハードウェアは提示形態判断ルールデータベース１６である。
前述の例（第１および第２の実施例）において、情報およびそのメタデータは情報リポジトリ１１に一括して保持される形態となっていたが、これを分離して情報リポジトリ１１および情報メタデータリポジトリ１１Ａに保存する形態も可能である。
この場合、メタデータのみを独立させて扱うことができるので、提示形態のより柔軟な指定が可能となる。例えば、複数の情報に対して、同一のメタデータをデフォルトとする提示形態を指定する、等がある。さらに、提示情報コントローラ１２が提示形態等を制御・決定する際の基準となるルールは、提示情報コントローラ１２自体にビルトインされていた。
本実施例では、これを分離し、提示形態判断ルールデータベース１６に格納する。提示情報コントローラ１２は、これを随時参照し、提示形態等を制御・決定する方式も可能である。これにより、判断基準がその適用機能と分離されるため、より柔軟な制御・判断が可能となる。提示レイアウトマネージャ１３が実際の配置・構成を行う際に用いていたルールに関しても、上述と同様である。
【００２７】
（第４の実施例）
図８は、本発明の第４の実施例を示す情報提示方法の制御図である。
図８においては、ハードウェア的に追加されたものは無いが、メタデータの内容に相違がある。すなわち、前述の例（第１〜第３の実施例）に加えて、提示される可能性のある情報の内容自体に段階を設けて、利用者それぞれに対して適切な詳細度（内容が空、すなわち提示しない場合も含む）で提示することも可能である。
情報には、それぞれ概要、詳細ａ、詳細ｂという複数の内容が用意されている。提示情報コントローラ１２は、各利用者に対して適切な内容を選択し、選択された内容を提示レイアウトマネージャ１３に送ることにより、各利用者に対して同一の情報であっても異なる内容での提示が可能となる。
【００２８】
図８においては、提示情報コントローラ１２が予めビルトインのルールに従ってその選択を行う方式になっているが、第３の実施例の図７のように、外部の提示形態判断ルールデータベース１６を用いる方式も可能である。この場合、各情報への各利用者のアクセス制限、あるいは情報の半開示などをも柔軟な形で記述することができ、汎用性が高く、より望ましい。
図９は、上記のプロセスを用いて実現される、各利用者ごとに提示される情報内容の例を示す写真である。
右側に示されている利用者向けの画面では、文字情報Ｂの提示がない（内容を空として提示）。また、中央の四角の領域では、情報の半開示が行われている。文字情報Ａに対しては、より詳細度の高い情報内容が提示されている。
【００２９】
（第５の実施例）
第４の実施例において、第２の実施例と同様に、入力装置１５Ｄからの利用者の入力により、提示されるそれぞれの情報内容を選択することも可能である。この場合の入力手法としては、第２の実施例に記載の共有ディスプレイ１５Ｃ上で行う方法に加え、共有ディスプレイ１５Ｃに隣接して各利用者ごとに用意されたキーボード、マウスというような装置を用いて入力する手法を採用することができる。さらに、第４の実施例においては、共有ディスプレイ１５Ｃ上に一人の利用者のみに提示される情報というものが実現可能となるため、これを用いて共有ディスプレイ１５Ｃ上に個人領域を設定し、その上で各利用者が入力を行うことも可能となる。
これらの手法を用いて各利用者が入力指定を行うことにより、提示情報マネージャ１３がその入力指定、および内部的または外部的な提示形態判断データに基づいて、各利用者に対する適切な情報内容を選択する。これにより、各利用者がそれぞれの指示に基づき異なる内容の情報を同一ディスプレイ１５Ｃ上で共有することができる。
また、さらに、入力装置１５Ｄを用いて、各利用者が提示すべき情報およびその提示態等の指示を、新たに入力することも可能である。
【００３０】
図１０は、本発明の第６の実施例を示す情報提示方法の制御図である。
第４の実施例において可能となった、同一の情報を異なる内容で各利用者に提示する手法、および第５の実施例において可能となった、各利用者が情報の提示内容を制御できる手法を組み合わせることができる。これにより、各利用者がそれぞれの情報に対して、提示すべき内容および提示すべき利用者の組み合わせを指定することが可能になる。
すなわち、情報は、概要、詳細ａ、詳細ｂというような複数の内容、およびそれらを提示することができる利用者、というマトリクスの形で表現される。提示情報コントローラ１２は、各利用者に対して適切な内容を選択し、選択された内容を提示レイアウトマネージャ１３に送ることにより、同一の情報であっても各利用者に対して異なる内容での提示が、より適切な形で可能となる。
【００３１】
図１０においては、提示情報コントローラ１２が予めビルトインのルールに従ってその選択を行う方式になっているが、第３の実施例の図７に示すように、外部の提示形態判断ルールデータベース１６を用いる方式も可能である。この場合、各情報への各利用者のアクセス制限、あるいは情報の半開示などをも柔軟な形で記述することができ、汎用性が高く、かつまた利用者からの入力指示に対応して内容と提示可能な利用者を変更する場合への対応も容易であり、より望ましい。
【００３２】
（第７の実施例）
第１の実施例から第６の実施例においては、情報リポジトリ１１（第３の実施例のように情報メタデータリポジトリを分離する場合もある）、提示情報コントローラ１２および提示レイアウトマネージャ１３（第３の実施例のように提示形態判断ルールデータベース１６を分離する場合もある）は、全て単一のプロセスとして動作するものと記述してきた。
しかし、これらを利用者１用、利用者ｎ用など、複数のプロセスに分けて実現する手法もある。これが第７の実施例である。
第７の実施例の方式では、それぞれのプロセスが全て情報リポジトリ１１、提示情報コントローラ１２および提示レイアウトマネージャ１３の機能（サブセットであっても構わない）を持ち、各プロセスが対応する利用者（複数である可能性もある）に関する入出力に対して責任を持ちながら、相互に通信し合って全体の整合性をとりつつ動作する。
このとき、特に情報リポジトリ１１や提示形態判断ルールデータベース１６の整合性を取ることが必要となるが、これに関しては分散データベースやＰ２Ｐ共有リポジトリで用いられている手法などを用いればよい。
本実施例は、特に、第５の実施例において記載されているように、各利用者が独自の入力手段を持つ場合に適用すると、親和性が高く、システムの効率も良い。
【００３３】
（第８の実施例）
第１〜第７の実施例においては、提示されるべき情報は予め情報リポジトリ１１内に格納されているか、または利用者により入力手段を用いて入力されるものとしてきた。しかしながら、情報リポジトリ１１自体にネットワーク接続機能を持たせることにより、ネットワークを介してシステム外部からデータを取り込み、それを提示することも可能である。
具体的には、例えば情報リポジトリ１１には、ＵＲＬのみを格納しておき（このＵＲＬは入力装置を介して利用者から指定されるものであっても良い）、実際に表示を行うべき段になって、そのＵＲＬで示される情報をネットワーク経由で情報リポジトリ１１が取得し、取得された当該情報を表示に利用する手法である。
この場合、ネットワーク接続により情報を随時ダウンロードすることができるため、常に情報を最新の状態に保つことができる。また、動画など、刻々と変化する情報を常に最新の状態で提示することも可能となる。
【００３４】
（プログラムと記録媒体）
図３の第１の実施例、図７の第３の実施例、図８の第４の実施例、および、図１０の第６の実施例は、いずれも動作フローチャートであって、これらのフローをコード化することで、情報提示用プログラムを作成することができる。また、これらのプログラムをＣＤ−ＲＯＭなどの記録媒体に格納しておけば、情報提示用プログラムとして貸与または売買する際に便利であり、また、多人数用方向依存ディスプレイテーブル（Ｌｕｍｉｓｉｇｈｔ  Ｔａｂｌｅ）の制御系に装着することで、コンピュータにインストールして実行させることにより、本発明を容易に実現することが可能である。
【図面の簡単な説明】
【００３５】
【図１】本発明の一実施例を示すシステムハードウェアの模式図である。
【図２】本発明の一実施例を示す情報提示装置の制御構造の基本構成図である。
【図３】本発明の第１の実施例を示す情報提示方法の制御図である。
【図４】第１の実施例により各利用者に提示される画面の例を示す写真である。
【図５】選択領域による共有ディスプレイ上での情報種別選択の例を示す写真である。
【図６】物理オブジェクトによる共有ディスプレイ上での情報種別指定の例を示す写真である。
【図７】本発明の第３の実施例を示す情報提示方法の制御図である。
【図８】本発明の第４の実施例を示す情報提示方法の制御図である。
【図９】第４の実施例により各利用者に提示される画面の例を示す写真である。
【図１０】本発明の第６の実施例を示す情報提示方法の制御図である。
【符号の説明】
【００３６】
１…多人数用方向依存ディスプレイテーブル（Ｌｕｍｉｓｉｇｈｔ  Ｔａｂｌｅ）、
２…Ｌｕｍｉｓｔｙフィルムの素材、３…プロジェクター、４…カメラ、
１１…情報リポジトリ、１１Ａ…情報メタデータリポジトリ、
１２…提示情報コントローラ、１３…提示レイアウトマネージャ、
１４…画像提示装置（１〜ｎ）、１５Ｃ…共有ディスプレイ、１５Ｄ…入力装置、
１６…提示形態判断ルールデータベース、Ａ…本発明の部分、Ｂ…従来技術の部分、
１７…情報およびメタデータ、１９…利用者用画像、
１８…情報およびメタデータからルールを用いて生成された、利用者に対する各情報の提示形態を決定した後のデータ。
【図１】
2005165603.tif 000003
【図２】
2005165603.tif 000004
【図３】
2005165603.tif 000005
【図４】
2005165603.tif 000006
【図５】
2005165603.tif 000007
【図６】
2005165603.tif 000008
【図７】
2005165603.tif 000009
【図８】
2005165603.tif 000010
【図９】
2005165603.tif 000011
【図１０】
2005165603.tif 000012